(57)【要約】【課題】複数のカメラにより撮像された複数系統の画像データをカメラ付き玄関子機から居室親機に同時に伝送する。【解決手段】インターホン装置１のカメラ付き玄関子機１０では、カメラ１０１、第１増設カメラ４０、および第２増設カメラ５０から出力される画像データのタイミングを同期させて順番に出力し、出力された画像データの解像度を変更し、ＪＰＥＧエンコーダにより圧縮し、解像度等のヘッダ情報を付与して居室親機２０に伝送するようになっているので、複数のカメラにより撮像された複数系統の画像データをカメラ付き玄関子機１０から居室親機２０に同時に伝送することができる。【選択図】図１
2010200148.tif 000002
【特許請求の範囲】
【請求項１】
来訪者を撮像するためのカメラおよび居住者を呼び出す機能を備えたカメラ付き玄関子機と、前記カメラ付き玄関子機と接続されて用いられ、来訪者を撮像するための一つ以上の増設カメラと、前記カメラ付き玄関子機の前記カメラまたは前記増設カメラの撮像映像を表示するモニタおよび前記カメラ付き玄関子機からの呼び出しに応答する機能を備えた居室親機と、を有するインターホン装置において、
前記カメラ付き玄関子機は、前記カメラおよび前記増設カメラから出力される画像データのタイミングを同期させて順番に出力する出力手段と、
前記出力手段から出力された画像データの解像度を変更する解像度変更手段と、
前記解像度変更手段により解像度が変更された画像データを圧縮するデータ圧縮手段と、
前記データ圧縮手段から出力される圧縮画像データに、解像度などの付加情報を付与するヘッダ付与手段と、を有しており、
前記居室親機は、前記カメラ付き玄関子機から受け取った画像データのヘッダをもとに前記画像データの出力先を切り替える出力先切り替え手段を有している、
インターホン装置。
【請求項２】
前記カメラ付き玄関子機の前記解像度変更手段は、前記出力手段から出力された画像データの解像度を前記居室親機のモニタに表示するための所定の解像度である第１解像度、および前記第１解像度と異なりワイヤレス端末での表示等他の用途で使用するための少なくとも一つ以上の第Ｎ解像度（Ｎは、２以上の整数）に変更し、
前記居室親機の出力先切り替え手段は、前記第１解像度の画像データを第１の出力先に出力し、前記第Ｎ解像度の画像データを前記第１の出力先と異なる、少なくとも一つ以上の第Ｎの出力先に出力する、
請求項１記載のインターホン装置。
【請求項３】
前記居室親機は、前記出力先切り替え手段から前記第１の出力先に出力された画像データに複数のカメラからの画像データが含まれる場合、これらの画像データから一画面の画像データを生成するマルチ画面表示制御部をさらに有する、
請求項１または２記載のインターホン装置。
【請求項４】
前記居室親機は、前記出力先切り替え手段から前記第Ｎの出力先に出力された前記第Ｎ解像度の画像データの転送フレーム数を所定のフレーム数に変更してから前記ワイヤレス端末に送信するためのフレームレート制御部をさらに有する、
請求項２記載のインターホン装置。
【請求項５】
前記居室親機は、前記出力先切り替え手段から出力された画像データを録画する録画部をさらに有しており、
前記録画部は、前記出力先切り替え手段から前記第１の出力先に出力された画像データ、または前記第Ｎの出力先に出力された画像データを録画する、
請求項１ないし４のいずれかの項記載のインターホン装置。
【請求項６】
前記インターホン装置は、第１増設カメラおよび第２増設カメラを有しており、
前記カメラ付き玄関子機の前記解像度変更手段は、前記カメラ付き玄関子機の前記カメラからの画像データの解像度を第１解像度に、前記第１増設カメラからの画像データの解像度を第２解像度に、前記第２増設カメラからの画像データの解像度を第３解像度に変更し、
前記居室親機の出力先切り替え手段は、前記第１解像度の画像データ、前記第２解像度の画像データ、または前記第３解像度の画像データのそれぞれを前記第１の出力先、第２の出力先または第３の出力先のいずれかに出力し、
前記居室親機は、前記第１の出力先に出力された画像データを前記モニタに表示し、前記第２の出力先に出力された画像データを録画部に録画し、前記第３の出力先に出力された画像データをワイヤレス端末に送信する、
請求項１、２または４記載のインターホン装置。
【請求項７】
来訪者を撮像するための一つ以上の増設カメラおよび居室親機と組み合わせて用いられる、来訪者を撮像するためのカメラおよび居住者を呼び出す機能を備えたカメラ付き玄関子機であって、
前記居室親機は、このカメラ付き玄関子機の前記カメラまたは前記増設カメラの撮像映像を表示するモニタおよび前記カメラ付き玄関子機からの呼び出しに応答する機能を備えており、
前記カメラ付き玄関子機は、前記カメラおよび前記増設カメラから出力される画像データのタイミングを同期させて順番に出力する出力手段と、
前記出力手段から出力された画像データの解像度を変更する解像度変更手段と、
前記解像度変更手段により解像度が変更された画像データを圧縮するデータ圧縮手段と、
前記データ圧縮手段から出力される圧縮画像データに、解像度などの付加情報を付与するヘッダ付与手段と、を有する、
カメラ付き玄関子機。
【請求項８】
前記解像度変更手段は、前記出力手段から出力された画像データの解像度を前記居室親機のモニタに表示するための所定の解像度である第１解像度、および前記第１解像度と異なりワイヤレス端末での表示等他の用途で使用するための少なくとも一つ以上の第Ｎ解像度（Ｎは、２以上の整数）に変更する、
請求項７記載のカメラ付き玄関子機。
【発明の詳細な説明】
【技術分野】
【０００１】
本発明は、カメラ付き玄関子機と居室親機とを含むインターホン装置に関する。
【背景技術】
【０００２】
従来、図４に示すような構成のインターホン装置６１が知られている。このインターホン装置６１は、カメラ付き玄関子機７０と、このカメラ付き玄関子機７０から伝送されたビデオ信号を受信し、受信したビデオ信号をモニタに映すことができる居室親機８０とを含んでいる。
カメラ付き玄関子機７０は居住者を呼び出すために用いられ、主に住戸の玄関に設置される。居室親機８０はカメラ付き玄関子機７０からの呼び出しに応答するために用いられ、その住戸内に設置される。このカメラ付き玄関子機７０と居室親機８０とは伝送線路１００を介して接続される。また、居室親機８０は、カメラ付き玄関子機７０からの画像が居室親機８０から無線伝送して表示されるワイヤレス端末９０と接続される。このワイヤレス端末９０は、居住者が携帯可能でカメラ付き玄関子機７０からの呼び出しに応答することが可能となっている。
【先行技術文献】
【特許文献】
【０００３】
【特許文献１】特開２００４−２６０３９０号公報
【特許文献２】特開２００１−１２８１５７号公報
【０００４】
このインターホン装置６１のカメラ付き玄関子機７０は、来訪者を撮像するカメラ７０１と、このカメラ７０１から出力されるデジタルビデオ信号を圧縮するＪＰＥＧエンコーダ７０２と、このＪＰＥＧエンコーダ７０２により圧縮されたＪＰＥＧデータを居室親機８０に伝送するための伝送部７０３とを備える。
【０００５】
このインターホン装置６１の居室親機８０は、カメラ付き玄関子機７０の伝送部７０３から送信されたＪＰＥＧデータを受信するための伝送部８０１と、受信したＪＰＥＧデータを伸張するＪＰＥＧデコーダ８０２と、このＪＰＥＧデコーダ８０２により伸張されたデジタルビデオ信号の画像を表示するモニタ８０３と、ＪＰＥＧデコーダ８０２により伸張されたデジタルビデオ信号を圧縮するＪＰＥＧエンコーダ８０４と、このＪＰＥＧエンコーダ８０４により圧縮されたＪＰＥＧデータをワイヤレス端末９０に無線伝送するためのワイヤレスモジュール８０５とを備える。
【０００６】
ワイヤレス端末９０は、居室親機８０から無線伝送されたＪＰＥＧデータを受信するワイヤレスモジュール９０１と、ワイヤレスモジュール９０１により受信したＪＰＥＧデータを伸張するＪＰＥＧデコーダ９０２と、このＪＰＥＧデコーダ９０２によりデコードされたデジタルビデオ信号を表示するモニタ９０３とを備えている。
【０００７】
以上のようなインターホン装置６１において、カメラ付き玄関子機７０のカメラ７０１により撮像され生成されたデジタルビデオ信号は、ＪＰＥＧエンコーダ７０２により圧縮され、圧縮画像データ、すなわちＪＰＥＧデータとなり、カメラ付き玄関子機７０の伝送部７０３から伝送線路１００を介して居室親機８０の伝送部８０１に送信される。
居室親機８０に送信されたＪＰＥＧデータは、伝送部８０１からＪＰＥＧデコーダ８０２に入力され、デジタルビデオ信号に伸張される。このデジタルビデオ信号の画像は、モニタ８０３に入力され、表示される。
また、伸張されたデジタルビデオ信号は、ＪＰＥＧエンコーダ８０４によりＪＰＥＧデータに圧縮され、ワイヤレスモジュール８０５からワイヤレス端末９０に無線伝送される。
居室親機８０のワイヤレスモジュール８０５からワイヤレス端末９０のワイヤレスモジュール９０１に無線伝送されたＪＰＥＧデータは、ＪＰＥＧデコーダ９０２により伸張され、伸張された画像データはモニタ９０３に入力され、表示される。
【発明の概要】
【発明が解決しようとする課題】
【０００８】
このような構成のインターホン装置６１では、カメラ付き玄関子機７０のカメラ７０１により撮像された画像データ、すなわち一つのカメラにより撮像された一系統の画像データをカメラ付き玄関子機７０から居室親機８０に伝送することが前提となっているため、カメラ付き玄関子機７０に増設カメラを接続した場合など、複数のカメラにより撮像された複数系統の画像データを同時に伝送することができなかった。
【０００９】
本発明は、複数のカメラにより撮像された複数系統の画像データをカメラ付き玄関子機から居室親機に同時に伝送することを課題とするものである。
【課題を解決するための手段】
【００１０】
かかる課題を解決するため、本願発明者は、以下のようなインターホン装置を提案する。
【００１１】
本願のインターホン装置は、来訪者を撮像するためのカメラおよび居住者を呼び出す機能を備えたカメラ付き玄関子機と、前記カメラ付き玄関子機と接続されて用いられ、来訪者を撮像するための一つ以上の増設カメラと、前記カメラ付き玄関子機の前記カメラまたは前記増設カメラの撮像映像を表示するモニタおよび前記カメラ付き玄関子機からの呼び出しに応答する機能を備えた居室親機と、を有するインターホン装置である。
このインターホン装置のカメラ付き玄関子機は、前記カメラおよび前記増設カメラから出力される画像データのタイミングを同期させて順番に出力する出力手段と、前記出力手段から出力された画像データの解像度を変更する解像度変更手段と、前記解像度変更手段により解像度が変更された画像データを圧縮するデータ圧縮手段と、前記データ圧縮手段から出力される圧縮画像データに、解像度などの付加情報を付与するヘッダ付与手段と、を有しており、前記居室親機は、前記カメラ付き玄関子機から受け取った画像データのヘッダをもとに前記画像データの出力先を切り替える出力先切り替え手段を有している。
このインターホン装置のカメラ付き玄関子機は、複数のカメラから出力される画像データのタイミングを同期させて順番に出力し、出力された画像データを処理して居室親機に伝送するようになっているので、複数のカメラにより撮像された複数系統の画像データをカメラ付き玄関子機から居室親機に伝送することができる。
また、このインターホン装置の居室親機は、カメラ付き玄関子機から受け取った画像データのヘッダをもとに前記画像データの出力先を切り替える出力先切り替え手段を有しており、カメラ付き玄関子機から受け取った画像データの用途に応じて出力先が自動的に切り替わるようになっているので、居室親機のＣＰＵが録画用の画像データや伝送用の画像データ等の用途に応じたデータを必要なタイミングにその都度生成する必要がなく、居室親機のＣＰＵの処理負荷を低減することができる。
なお、カメラ付き玄関子機のヘッダ付与手段により圧縮画像データに付与されるヘッダは、該データの解像度の情報に限られず、居室親機で使用する用途などの情報や、カメラの識別情報であってもよい。
【００１２】
このインターホン装置の前記カメラ付き玄関子機の前記解像度変更手段は、前記出力手段から出力された画像データの解像度を前記居室親機のモニタに表示するための所定の解像度である第１解像度、および前記第１解像度と異なりワイヤレス端末での表示等他の用途で使用するための少なくとも一つ以上の第Ｎ解像度（Ｎは、２以上の整数）に変更し、前記居室親機の出力先切り替え手段は、前記第１解像度の画像データを第１の出力先に出力し、前記第Ｎ解像度の画像データを前記第１の出力先と異なる、少なくとも一つ以上の第Ｎの出力先に出力するようになっていてもよい。
このようなインターホン装置とすれば、居室親機のモニタに適した解像度の画像データおよびワイヤレス端末での表示等他の用途での使用に適した解像度の画像データに変更することができる。
【００１３】
前記居室親機は、前記出力先切り替え手段から前記第１の出力先に出力された画像データに複数のカメラからの画像データが含まれる場合、これらの画像データから一画面の画像データを生成するマルチ画面表示制御部をさらに有するものであってもよい。
このようなマルチ画面表示制御部を有する居室親機によれば、複数のカメラの画像データから一画面の画像データを生成することができ、これにより複数のアングルから撮像した来訪者の映像をモニタに同時に表示することができる。
【００１４】
前記居室親機は、前記出力先切り替え手段から前記第Ｎの出力先に出力された前記第Ｎ解像度の画像データの転送フレーム数を所定のフレーム数に変更してから前記ワイヤレス端末に送信するためのフレームレート制御部をさらに有するものであってもよい。
このようなフレームレート制御部を有していれば、画像データの転送フレーム数を転送するワイヤレス端末に適したフレーム数に変更してから該ワイヤレス端末に画像データを送信することができる。
【００１５】
前記居室親機は、前記出力先切り替え手段から出力された画像データを録画する録画部をさらに有しており、前記録画部は、前記出力先切り替え手段から前記第１の出力先に出力された画像データ、または前記第Ｎの出力先に出力された画像データを録画するようになっていてもよい。
このような録画部を有する居室親機によれば、居室親機のモニタに表示される画像データと同じ画像データ、または居室親機のモニタに表示される画像データとは異なる画像データを録画することができる。
【００１６】
前記インターホン装置は、第１増設カメラおよび第２増設カメラを有しており、
前記カメラ付き玄関子機の前記解像度変更手段は、前記カメラ付き玄関子機の前記カメラからの画像データの解像度を第１解像度に、前記第１増設カメラからの画像データの解像度を第２解像度に、前記第２増設カメラからの画像データの解像度を第３解像度に変更し、前記居室親機の出力先切り替え手段は、前記第１解像度の画像データ、前記第２解像度の画像データ、または前記第３解像度の画像データのそれぞれを前記第１の出力先、第２の出力先または第３の出力先のいずれかに出力し、前記居室親機は、前記第１の出力先に出力された画像データを前記モニタに表示し、前記第２の出力先に出力された画像データを録画部に録画し、前記第３の出力先に出力された画像データをワイヤレス端末に送信するようになっていてもよい。
このようなインターホン装置によれば、例えば、カメラ付き玄関子機のカメラにより撮像した画像データを表示用のデータ、第１増設カメラにより撮像した画像データを録画用のデータ、そして第２増設カメラにより撮像した画像データをワイヤレス端末への転送用のデータとして使用することができる。
【００１７】
また、本願発明者は、以下のようなカメラ付き玄関子機を提案する。
本願のカメラ付き玄関子機は、来訪者を撮像するための一つ以上の増設カメラおよび居室親機と組み合わせて用いられる、来訪者を撮像するためのカメラおよび居住者を呼び出す機能を備えている。この居室親機は、このカメラ付き玄関子機の前記カメラまたは前記増設カメラの撮像映像を表示するモニタおよび前記カメラ付き玄関子機からの呼び出しに応答する機能を備えており、前記カメラ付き玄関子機は、前記カメラおよび前記増設カメラから出力される画像データのタイミングを同期させて順番に出力する出力手段と、前記出力手段から出力された画像データの解像度を変更する解像度変更手段と、前記解像度変更手段により解像度が変更された画像データを圧縮するデータ圧縮手段と、前記データ圧縮手段から出力される圧縮画像データに、解像度などの付加情報を付与するヘッダ付与手段と、を有する。
このようなカメラ付き玄関子機を使用することにより、上述のように、複数のカメラにより撮像された複数系統の画像データをカメラ付き玄関子機から居室親機に伝送することができる。
【００１８】
上述のカメラ付き玄関子機の前記解像度変更手段は、前記出力手段から出力された画像データの解像度を前記居室親機のモニタに表示するための所定の解像度である第１解像度、および前記第１解像度と異なりワイヤレス端末での表示等他の用途で使用するための少なくとも一つ以上の第Ｎ解像度（Ｎは、２以上の整数）に変更するようになっていてもよい。
【発明の効果】
【００１９】
本発明によれば、複数のカメラにより撮像された複数系統の画像データをカメラ付き玄関子機から居室親機に同時に伝送することができる。
【図面の簡単な説明】
【００２０】
【図１】本実施形態のインターホン装置の全体構成を示す図。
【図２】本実施形態のカメラ付き子機の解像度変更部から出力される画像データの順序を示す図。
【図３】本実施形態のカメラ付き子機の伝送部から伝送されるＪＰＥＧデータの順序を示す図。
【図４】従来のインターホン装置の全体構成を示す図。
【発明を実施するための形態】
【００２１】
以下、本発明の好ましい一実施形態を、図面を参照しながら詳細に説明する。
【００２２】
この実施形態によるインターホン装置１は、概略で図１に示したように構成される。インターホン装置１は、カメラ付き玄関子機１０と、このカメラ付き玄関子機１０から伝送されたビデオ信号を受信し、受信したビデオ信号をモニタに映すことができる居室親機２０と、カメラ付き玄関子機１０からの画像が居室親機２０から無線伝送して表示されるワイヤレス端末３０と、来訪者を撮像するための第１増設カメラ４０および第２増設カメラ５０とを含んでいる。
カメラ付き玄関子機１０は、居住者を呼び出すために用いられ、主に住戸の玄関に設置される。居室親機２０は、カメラ付き玄関子機１０からの呼び出しに応答するために用いられ、その住戸内に設置される。このカメラ付き玄関子機１０と居室親機２０とは伝送線路６０を介して接続される。ワイヤレス端末３０は、居住者が携帯可能でカメラ付き玄関子機１０からの呼び出しに応答することが可能となっており、住戸内の適当な場所で、適宜使用される。また、第１増設カメラ４０および第２増設カメラ５０は、住戸の玄関に設置されるとともに、カメラ付き玄関子機１０に接続される。
【００２３】
以下、第１増設カメラ４０および第２増設カメラ５０が接続されたカメラ付き玄関子機１０、居室親機２０、およびワイヤレス端末３０の構成について説明する。まず、カメラ付き玄関子機１０の構成を説明する。
【００２４】
カメラ付き玄関子機１０は、来訪者を撮像するカメラ１０１と、第１増設カメラＩＦ１０２ａと、第２増設カメラＩＦ１０２ｂと、第１マルチプレクサ１０３と、解像度変更部１０４と、ＪＰＥＧエンコーダ１０５と、画像データヘッダ付与部１０６と、第２マルチプレクサ１０７と、バッファ１０８と、伝送部１０９とを備える。
【００２５】
カメラ１０１は、来訪者を撮像するものである。第１増設カメラＩＦ１０２ａおよび第２増設カメラＩＦ１０２ｂは、それぞれ第１増設カメラ４０および第２増設カメラ５０と接続するためのインターフェースであり、第１増設カメラ４０および第２増設カメラ５０から出力される画像データを受け取るようになっている。
第１マルチプレクサ１０３は、カメラ１０１、第１増設カメラＩＦ１０２ａ、または第２増設カメラＩＦ１０２ｂから異なるタイミングで出力される画像データのタイミングを同期させて、解像度変更部１０４に順番に出力するようになっている。
【００２６】
解像度変更部１０４は、入力された画像データの解像度を所定の解像度に変更するものであり、本実施形態では、カメラ１０１からの画像データを第１の解像度の画像データに、第１増設カメラ４０からの画像データを第１の解像度の画像データに、第２増設カメラ５０からの画像データを第２の解像度の画像データに変更するように設定されている。なお、第１の解像度は、本実施形態では居室親機２０におけるモニタの画像サイズに相当し、ＱＶＧＡである。また、第２の解像度は、本実施形態ではワイヤレス端末３０のモニタの画像サイズに相当し、ＶＧＡである。
ＪＰＥＧエンコーダ１０５は、解像度変更部１０４から出力される画像データを圧縮し、圧縮画像データ、すなわちＪＰＥＧデータにエンコードするものである。
画像データヘッダ付与部１０６は、ＪＰＥＧエンコーダ１０５から出力されるＪＰＥＧデータに、解像度や居室親機２０での出力先に関する情報や、カメラの識別情報などの付加情報を付与するものである。
【００２７】
第２マルチプレクサ１０７は、画像データヘッダ付与部１０６から出力されるヘッダ情報付きＪＰＥＧデータの出力先を切り替えるものであり、本実施形態では、第１の出力先となる伝送部１０９に第１の解像度のヘッダ情報付きＪＰＥＧデータを出力し、第２の出力先となるバッファ１０８に第２の解像度のヘッダ情報付きＪＰＥＧデータを出力するように、ヘッダ情報付きＪＰＥＧデータの出力先を切り替えるようになっている。
【００２８】
バッファ１０８は、第２マルチプレクサ１０７から入力された第２の解像度のヘッダ情報付きＪＰＥＧデータを一時的に格納するものである。
伝送部１０９は、第２マルチプレクサ１０７から入力されたヘッダ情報付きＪＰＥＧデータ、およびバッファ１０８から入力されたヘッダ情報付きＪＰＥＧデータを伝送線路６０を介して居室親機２０に伝送するものである。
【００２９】
居室親機２０は、伝送部２０１と、第３マルチプレクサ２０２と、フレームレート制御部２０３と、シリアル通信部２０４と、ワイヤレスモジュール２０５と、ＪＰＥＧデコーダ２０６と、マルチ画面表示制御部２０７と、モニタ２０８と、録画制御部２０９と、記録媒体２１０とを備える。
伝送部２０１は、伝送線路６０を介してカメラ付き玄関子機１０から伝送されたヘッダ情報付きＪＰＥＧデータを含んだ信号を受信するものである。
第３マルチプレクサ２０２は、伝送部２０１で受信したヘッダ情報付きＪＰＥＧデータの出力先を切り替えるものであり、ヘッダ情報付きＪＰＥＧデータをフレームレート制御部２０３、ＪＰＥＧデコーダ２０６、または録画制御部２０９のいずれかに出力する。
【００３０】
フレームレート制御部２０３は、第３マルチプレクサ２０２から出力されるヘッダ情報付きＪＰＥＧデータの転送フレーム数を所定のフレーム数に変更するものである。
シリアル通信部２０４は、第３マルチプレクサ２０２から出力されるヘッダ情報付きＪＰＥＧデータの伝送制御を行うものである。
ワイヤレスモジュール２０５は、ワイヤレス端末３０にヘッダ情報付きＪＰＥＧデータを無線伝送するためのものである。
【００３１】
ＪＰＥＧデコーダ２０６は、第３マルチプレクサ２０２から出力されるヘッダ情報付きＪＰＥＧデータを伸張し、画像データを出力するものである。
マルチ画面表示制御部２０７は、ＪＰＥＧデコーダ２０６から入力された画像データに複数のカメラからの画像データが含まれる場合、これらの画像データから一画面の画像データを生成するものである。
モニタ２０８は、マルチ画面表示制御部２０７からの画像データを表示するものである。
【００３２】
録画制御部２０９は、第３マルチプレクサ２０２から出力されるヘッダ情報付きＪＰＥＧデータの録画制御を行うものである。
記録媒体２１０は、録画制御部２０９の制御によりヘッダ情報付きＪＰＥＧデータを格納するものである。
【００３３】
ワイヤレス端末３０は、居室親機２０から無線伝送されてきたヘッダ情報付きＪＰＥＧデータを含む信号を受信するワイヤレスモジュール３０１と、ワイヤレスモジュール３０１により受信したヘッダ情報付きＪＰＥＧデータを伸張し、デジタルビデオ信号にデコードするＪＰＥＧデコーダ３０２と、このＪＰＥＧデコーダによりデコードされたデジタルビデオ信号を表示するモニタ３０３とを備えている。
【００３４】
次に、以上のような構成のインターホン装置１の動作について、説明する。ただし、インターホン装置１の基本動作であるカメラ付き玄関子機１０から居室親機２０の呼び出し、居室親機２０によるその応答操作に伴う動作は従来と同様であるため説明を省略し、ここでは、カメラ付き玄関子機１０の呼出操作に基づきカメラ１０１、第１増設カメラ４０および第２増設カメラ５０から出力される信号の流れを中心に説明する。
【００３５】
カメラ付き玄関子機１０のカメラ１０１により撮像され生成された画像データは、第１マルチプレクサ１０３に入力される。また、第１増設カメラ４０および第２増設カメラ５０によりそれぞれ撮像され生成された画像データは、それぞれ第１増設カメラＩＦ１０２ａおよび第２増設カメラＩＦ１０２ｂを介して第１マルチプレクサ１０３に入力される。
第１マルチプレクサ１０３は、カメラ１０１、第１増設カメラＩＦ１０２ａ、または第２増設カメラＩＦ１０２ｂから異なるタイミングで出力される画像データのタイミングを同期させて、解像度変更部１０４に順番に出力する。
【００３６】
解像度変更部１０４は、入力されたカメラ１０１からの画像データを第１の解像度（ＱＶＧＡ）の画像データに、第１増設カメラ４０からの画像データを第１の解像度（ＱＶＧＡ）の画像データに、第２増設カメラ５０からの画像データを第２の解像度（ＶＧＡ）の画像データに変更して出力する。
具体的には、図２に示すように、カメラ１０１からの画像データである画像データＡ、第１増設カメラ４０からの画像データである画像データＢ、第２増設カメラ５０からの画像データである画像データＣが解像度変更部１０４から順番に出力される。解像度変更部１０４から出力された画像データは、ＪＰＥＧエンコーダ１０５に入力される。
【００３７】
ＪＰＥＧエンコーダ１０５は、解像度変更部１０４により解像度が変更された画像データを圧縮し、ＪＰＥＧデータにエンコードする。
このＪＰＥＧデータは画像データヘッダ付与部１０６に入力され、解像度や居室親機２０での出力先などの付加情報が付与される。このヘッダ情報付きＪＰＥＧデータは第２マルチプレクサ１０７に入力される。
【００３８】
第２マルチプレクサ１０７は、画像データヘッダ付与部１０６から受け取ったヘッダ情報付きＪＰＥＧデータの出力先を切り替えるようになっており、画像データヘッダ付与部１０６から第２マルチプレクサ１０７に入力されたヘッダ情報付きＪＰＥＧデータは、第１の出力先となる伝送部１０９、または第２の出力先となるバッファ１０８のいずれかに出力される。具体的には、伝送部１０９には第１の解像度（ＱＶＧＡ）のヘッダ情報付きＪＰＥＧデータが出力され、バッファ１０８には第２の解像度（ＶＧＡ）のヘッダ情報付きＪＰＥＧデータが出力されるように切り替えられるようになっている。
これにより、カメラ１０１および第１増設カメラ１０２ａからの画像データは、伝送部１０９に出力され、カメラ１０１および第１増設カメラ１０２ａからの画像データよりもデータサイズの大きい第２増設カメラ１０２ｂからの画像データは、そのまま伝送部１０９に出力されるのではなくバッファ１０８に出力され、その後伝送部１０９に出力されることとなる。なお、本実施形態では、第２マルチプレクサ１０７から第１の出力先および第２の出力先に出力されるヘッダ情報付きＪＰＥＧデータは、ともに２０ｆｐｓのフレームレートで出力されるようになっている。
【００３９】
第２マルチプレクサ１０７から出力されたこれらのヘッダ情報付きＪＰＥＧデータは、伝送部１０９から伝送線路６０を介して居室親機２０に送信される。
伝送部１０９は、バッファ１０８のヘッダ情報付きＪＰＥＧデータを少なくとも二つに分割して居室親機２０に送信するように構成することができる。本実施形態では、バッファ１０８のヘッダ情報付きＪＰＥＧデータを三つに分割して居室親機２０に送信するようになっており、第１の出力先に出力されたヘッダ情報付きＪＰＥＧデータを２０ｆｐｓのフレームレートで伝送する合間に、第２の出力先に出力されたヘッダ情報付きＪＰＥＧデータを三つに分割して２０／３ｆｐｓのフレームレートで伝送するようになっている。
具体的には、伝送部１０９は、図３に示すように、第１の出力先に出力されたカメラ１０１からの画像データである画像データＡ、第１の出力先に出力された第１増設カメラ４０からの画像データである画像データＢ、第２の出力先に出力された第２増設カメラ５０からの画像データである画像データＣを三分割した一番目のＪＰＥＧデータ（図の（１））、第１の出力先に出力されたカメラ１０１からの画像データである画像データＡ、第１の出力先に出力された第１増設カメラ４０からの画像データである画像データＢ、第２の出力先に出力された第２増設カメラ５０からの画像データである画像データＣを三分割した二番目のＪＰＥＧデータ（図の（２））、第１の出力先に出力されたカメラ１０１からの画像データである画像データＡ、第１の出力先に出力された第１増設カメラ４０からの画像データである画像データＢ、第２の出力先に出力された第２増設カメラ５０からの画像データである画像データＣを三分割した三番目のＪＰＥＧデータ（図の（３））・・・の順に伝送するようになっている。
このように、本実施形態のカメラ付き玄関子機１０の伝送部１０９はバッファ１０８のヘッダ情報付きＪＰＥＧデータを分割して送信するようになっているので、第２の出力先に出力されたＪＰＥＧデータの１画像あたりのデータ量を、第１の出力先に出力されたＪＰＥＧデータよりも大きくすることができ、精細な画像を居室親機２に送信することができる。
【００４０】
玄関子機１０から伝送線路６０を介して居室親機２０に送信されたヘッダ情報付きＪＰＥＧデータは、伝送部２０１により受信される。伝送部２０１により受信されたＪＰＥＧデータは、第３マルチプレクサ２０２に入力される。
第３マルチプレクサ２０２は、入力されたＪＰＥＧデータのヘッダ情報をもとに伝送部２０１から受け取ったＪＰＥＧデータの出力先を切り替えるようになっており、フレームレート制御部２０３、ＪＰＥＧデコーダ２０６、または録画制御部２０９のいずれかにＪＰＥＧデータを出力する。これにより、第３マルチプレクサ２０２に入力されたＪＰＥＧデータは、ワイヤレス端末３０への伝送用のＪＰＥＧデータ、表示用のＪＰＥＧデータ、または録画用のＪＰＥＧデータのいずれかに振り分けられることとなる。
具体的には、本実施形態では、第２の解像度（ＶＧＡ）のＪＰＥＧデータがフレームレート制御部２０３に出力され、第１の解像度（ＱＶＧＡ）のＪＰＥＧデータがマルチ画面表示制御部２０７または録画制御部２０９に出力されるようになっている。すなわち、第２増設カメラ５０からの画像データがワイヤレス端末３０への伝送用のＪＰＥＧデータ、カメラ１０１からの画像データおよび第１増設カメラ４０からの画像データが表示用のＪＰＥＧデータまたは録画用のＪＰＥＧデータに振り分けられるようになっている。
なお、本実施形態では、表示用のＪＰＥＧデータは３０ｆｐｓのフレームレートで出力され、録画用のＪＰＥＧデータは１０ｆｐｓのフレームレートで出力され、そして伝送用のＪＰＥＧデータは１０ｆｐｓ以下のフレームレートで出力される。
【００４１】
第３マルチプレクサ２０２からフレームレート制御部２０３に入力されたＪＰＥＧデータは、その転送フレーム数をワイヤレス端末３０に適した所定のフレーム数に変更され、シリアル通信部２０４を介してワイヤレスモジュール２０５からワイヤレス端末３０に無線伝送される。
居室親機２０のワイヤレスモジュール２０５からワイヤレス端末３０のワイヤレスモジュール３０１に無線伝送されたＪＰＥＧデータは、ＪＰＥＧデコーダ３０２により伸張され、伸張された画像データはモニタ３０３に入力され、表示される。
【００４２】
一方、第３マルチプレクサ２０２からＪＰＥＧデコーダ２０６に入力されたＪＰＥＧデータは、ＪＰＥＧデコーダ２０６により伸張され、マルチ画面表示制御部２０７に入力される。本実施形態の場合、ＪＰＥＧデコーダ２０６から入力された画像データに複数のカメラからの画像データが含まれているので、マルチ画面表示制御部２０７は、これらの画像データから一画面の画像データを生成する。この画像データはモニタ２０８に入力され、表示される。すなわち、モニタ２０８には複数のアングルから撮像した来訪者の映像を同時に表示される。
なお、本実施形態では、複数のカメラからの第１の解像度（ＱＶＧＡ）のＪＰＥＧデータが表示用のデータとして第３マルチプレクサ２０２により振り分けられるようになっているが、複数のカメラからの複数の解像度のＪＰＥＧデータが表示用のデータとして振り分けられるようになっていてもよい。
【００４３】
第３マルチプレクサ２０２から録画制御部２０９に入力されたＪＰＥＧデータは、記録媒体２１０に記録される。
【００４４】
以上のような本実施形態のインターホン装置１のカメラ付き玄関子機１０は、複数のカメラから出力される画像データのタイミングを同期させて順番に出力し、出力された画像データを処理して居室親機２０に伝送するようになっているので、本実施形態のインターホン装置１によれば、複数のカメラにより撮像された複数系統の画像データをカメラ付き玄関子機１０から居室親機２０に同時に伝送することができる。
また、本実施形態のインターホン装置１の居室親機２０は、カメラ付き玄関子機１０から受け取った画像データのヘッダをもとに該画像データの出力先を自動的に切り替えるようになっているので、居室親機２０のＣＰＵが、録画用の画像データや伝送用の画像データ等の用途に応じたデータを必要なタイミングにその都度生成する必要がなく、居室親機２０のＣＰＵの処理負荷を低減することができる。
また、本実施形態のインターホン装置１の居室親機２０は、上述したマルチ画面表示制御部２０６を有するので、表示用の画像データに複数のカメラからの画像データが含まれる場合、複数のカメラの画像データから一画面の画像データを生成することができ、これにより複数のアングルから撮像した来訪者の映像をモニタに同時に表示することができる。
さらに、本実施形態のインターホン装置１の居室親機２０は、上述したフレームレート制御部を有しているので、画像データの転送フレーム数を転送するワイヤレス端末３０に適したフレーム数に変更してから該ワイヤレス端末に画像データを送信することができる。
【００４５】
以上説明した本実施形態においては、カメラ付き玄関子機１０の解像度変更部１０４は、カメラ１０１、第１増設カメラ４０および第２増設カメラ５０からの画像データの解像度を第１の解像度および第２の解像度の二つの解像度のいずれかに変更するものとして説明したが、これに限られず、第１増設カメラ４０および第２増設カメラ５０からの画像データの解像度をすべて同じ解像度に変更するようにしてもよいし、用途に応じた三つ以上の解像度に変更するようにしてもよい。
【００４６】
また、本実施形態のインターホン装置１の居室親機２０のマルチプレクサ２０２は、伝送部２０１からのＪＰＥＧデータを、フレームレート制御部２０３、ＪＰＥＧデコーダ２０６、または録画制御部２０９のいずれかに出力するものとして記載したが、これに限られず、さらに他の一つ以上の出力先に出力するようになっていてもよい。例えば、第３マルチプレクサ２０２からイーサネット（登録商標）にもＪＰＥＧデータを振り分けるように構成することができる。イーサネット（登録商標）に振り分けられたＪＰＥＧデータは、例えばハブを介してサーバに入力されるようにしてもよい。
また、解像度変更部１０４は、第１マルチプレクサ１０３から出力された画像データの解像度を居室親機２０のモニタ２０８に表示するための所定の解像度である第１解像度、およびこの第１解像度と異なりワイヤレス端末３０での表示等他の用途で使用するための少なくとも一つ以上の第Ｎ解像度（Ｎは、２以上の整数）に変更するように構成することもできる。この場合、居室親機２０の第３マルチプレクサ２０２は、第１解像度の画像データをＪＰＥＧデコーダ２０６に出力し、第Ｎ解像度の画像データをフレームレート制御部２０３や録画制御部２０９、またはさらに他の一つ以上の出力先に出力するものとすれば、用途に応じて画像データを振り分けることができる。
【００４７】
また、解像度変更部１０４は、カメラ付き玄関子機１０のカメラ１０１からの画像データの解像度を第１解像度に、第１増設カメラ４０からの画像データの解像度を第２解像度に、第２増設カメラ５０からの画像データの解像度を第３解像度に変更するようになっており、居室親機１０の第３マルチプレクサ２０２は、第１解像度の画像データ、第２解像度の画像データ、または第３解像度の画像データのそれぞれをＪＰＥＧデコーダ２０６、録画制御部２０９またはフレームレート制御部２０３のいずれかに出力するように構成してもよい。
このような構成のインターホン装置によれば、例えば、カメラ付き玄関子機１０のカメラ１０１により撮像した画像データを表示用のデータ、第１増設カメラ４０により撮像した画像データを録画用のデータ、そして第２増設カメラ５０により撮像した画像データをワイヤレス端末３０への転送用のデータとして使用することができる。
【００４８】
また、本実施形態の居室親機２０の録画制御部２０９は、第３マルチプレクサ２０２からこの録画制御部２０９に録画用のデータとして出力された画像データを録画するものとして説明したが、これに限られず、第３マルチプレクサ２０２からＪＰＥＧデコーダ２０６に出力された表示用の画像データを録画するような構成にしてもよいし、第３マルチプレクサ２０２からフレームレート制御部２０３に出力されたワイヤレス端末送信用の画像データを録画するような構成にしてもよい。すなわち、録画制御部２０９は、居室親機２０のモニタ２０８に表示される画像データと同じ画像データ、または居室親機２０のモニタ２０８に表示される画像データとは異なる画像データを録画するものとすることができる。
【００４９】
また、本実施形態では、居室親機２０のマルチ画面表示制御部２０７により生成された一画面の画像データがモニタ２０８に表示されるものとして記載したが、モニタ２０８の図示しない切り替えボタンにより、表示されている複数の画像データのうちの一つをモニタ２０８に表示するようになっていてもよい。
【００５０】
また、本実施形態では、圧縮画像データとしてＪＰＥＧデータが生成される例について説明したが、これに限られず、他の形式のデータであってもよい。
【符号の説明】
【００５１】
１，６１・・インターホン装置、１０，７０・・カメラ付き玄関子機、２０，８０・・居室親機、３０，９０・・ワイヤレス端末、４０，５０・・増設カメラ、６０，１００・・伝送線路、１０１，７０１・・カメラ、１０２ａ,１０２ｂ・・増設カメラＩＦ、１０３・・第１マルチプレクサ（出力手段）、１０４・・解像度変更部（解像度変更手段）、１０５，７０２，８０４・・ＪＰＥＧエンコーダ（データ圧縮手段）、１０６・・画像データヘッダ付与部（ヘッダ付与手段）、１０７・・第２マルチプレクサ、１０８・・バッファ、１０９，２０１，７０３，８０１・・伝送部、２０２・・第３マルチプレクサ（出力先切り替え手段）、２０３・・フレームレート制御部、２０４・・シリアル通信部、２０５，３０１，８０５，９０１・・ワイヤレスモジュール、２０６，３０２，８０２，９０２・・ＪＰＥＧデコーダ、２０７・・マルチ画面表示制御部、２０８，３０３，８０３，９０３・・モニタ、２０９・・録画制御部、２１０・・記録媒体
【図１】
2010200148.tif 000003
【図２】
2010200148.tif 000004
【図３】
2010200148.tif 000005
【図４】
2010200148.tif 000006